(57)【要約】【課題】多数のピンジャックを備えるべき要求に、少数の導電キャップを備えた複数のアース金具を電気的に接続しつつ連設して良好に応答すること。【解決手段】ハウジング５の正面に連設した５個の絶縁円筒６に、導電キャップ１ｂ、２ｂを外装させて３連及び２連のアース金具１、２を直列に配し、かつそれらの帯状基部１ａ、２ａをハウジング５正面の嵌合凹部５ａに嵌め込む。帯状基部１ａ、２ａの両端の接合片１ｃ、２ｃをそれぞれ接合片係止溝５ｂに挿入して固定する。端子部材３の両側の垂下片３ｂをそれぞれ垂下片係止溝５ｃに挿入して固定する。垂下片３ｂから突出する弾性接片３ｂ１が対向するアース金具１、２の接合片１ｃ、２ｃに当接して両者を電気的に接続し、３連のアース金具１の下端から突出するアース端子１ｄがプリント基板に結合する。【選択図】  図２
2004281242.tif 000002
【特許請求の範囲】
【請求項１】
ハウジングの正面に直列に配した複数の絶縁円筒に複数のアース金具の各導電キャップを外装し、かつ該複数のアース金具間を電気的に接続してなるピンジャック板に於けるアース金具の接続構造であって、
アース金具の帯状基部の両末端に各々直角に折曲して構成した接合片を前記ハウジングに挿入固定し、該接合片の内、隣接するアース金具の相互に対向する二つの接合片間に、前記ハウジングに挿入固定する逆Ｕ字形の端子部材であって、その両側の垂下片に各々前記接合片に圧接する弾性接片を備えた端子部材を挿入したピンジャック板に於けるアース金具の接続構造。
【請求項２】
前記ハウジングの正面に、アース金具の接合片を各々挿入係止すべく構成した接合片係止溝と、該接合片係止溝の内、隣接するアース金具の相互に対向する二つの接合片用の接合片係止溝の間に構成した二つの垂下片係止溝であって、各々該二つの接合片間に挿入する端子部材の両垂下片を挿入すべく構成し、かつ各々直近の接合片係止溝に連通すべく構成した垂下片係止溝とを備えた請求項１のピンジャック板に於けるアース金具の接続構造。
【請求項３】
前記接合片の両側肩部直下に抜け止め突起を形成し、他方、前記接合片係止溝の両側上部に、これに挿入した接合片の抜け止め突起が係止する係止段部を形成し、更に前記端子部材の両垂下片の両側肩部直下に抜け止め突起を形成し、他方、前記接合片係止溝の両側上部に、これに挿入した端子部材の両垂下片の抜け止め突起が係止する係止段部を形成した請求項２のピンジャック板に於けるアース金具の接続構造。
【請求項４】
前記弾性接片を、垂下片の中央部を下端を除いて短冊状に切り抜き、かつその途中を該垂下片から突出するように側面から見て「く」の字状に折曲して構成した請求項１、２又は３のピンジャック板に於けるアース金具の接続構造。
【発明の詳細な説明】
【０００１】
【発明の属する技術分野】
本発明は、複数のピンジャックを直列に配列した一列以上のピンジャック列を有するピンジャック板に於いて、各ピンジャック列に複数のアース金具を用いる場合にそれら相互を電気的に接続するためのピンジャック板に於けるアース金具の接続構造に関するものである。
【０００２】
【従来の技術】
アース金具は、導電性の金属板材で構成される帯状又は板状の基部に複数の導電キャップを直列に立ち上げたものであり、該導電キャップを独立した絶縁円筒に外装し、かつ該絶縁円筒の内部に接片を配してハウジングに取り付ける等によりピンジャックを構成する（特許文献１、特許文献２）部材であり、或いは、ハウジングから立ち上げた絶縁円筒に外装し、その内部に接片を配する等によりピンジャックを構成する部材である。
【０００３】
前記帯状又は板状の基部には、その一方の末端からアース端子が突出状に構成され、またその上面には補強用のリブが構成されることもあり、更にその周囲その他の部位にハウジングとの結合手段が構成されることもある。
【０００４】
このようなアース金具は、殆どが２個又は３個の導電キャップを立設した二連又は三連のそれであり、例えば、サブ基板を使用しない５個の導電キャップを立設した縦五連のアース金具は現時点では存在していないと思われる。しかし、近時、各種のオーディオビジュアル機器、その他の機器に於いて、多種の信号の入出力の希望があり、そのため一つのピンジャック板に於いて、多数のピンジャックを備えるべき要求がある。そこで、当然、これに応じて、多数のピンジャックを直列に配した多連のピンジャック板を構成すべきこととなるが、その構成部材の一つであるアース金具もまたこれに対応して多数の導電キャップを連設したそれが要求されるようになる。
【０００５】
ところで、このようなアース金具は、多数の導電キャップを直列に連設するようになると、当然、それに応じてその帯状又は板状の基部が長くなり、そのメッキ作業時に変形が生じ易くなると云うような問題が生じる。また金型が大きくなるのも問題である。更には多連になると、連設される導電キャップ間又はこれらを外装する絶縁円筒間の僅かなピッチズレがその数の分だけ累積するため、その外装作業の作業性が低下しがちとなる問題も生じる。
【０００６】
そこで必要数の導電キャップを連設した一つのアース金具に代えて、組み合わせによって同数の導電キャップを確保できる複数のアース金具を直列に配して使用することが想定されるが、この場合には、その各々のアース金具の帯状又は板状の基部からアース端子が引き出されることとなるため、これらを接続するプリント基板上にアース端子の接続孔がその数の分だけ必要となり、回路引き廻し上の制約が生じることとなる。またこの場合には、特に上段のアース金具の帯状又は板状の基部から延長するアース端子が長いものとなり、メッキ作業時の変形の問題も生じる。
【０００７】
【特許文献１】
登録実用新案第２６０９９７８号公報（第２頁右欄第２−８行、図３）
【特許文献２】
登録実用新案第２５４１０１７号公報（図９、図１０、図１１）
【０００８】
【発明が解決しようとする課題】
本発明は、前記のように、ピンジャック板に於いて、多数のピンジャックを備えるべき要求があり、このような要求から更にアース金具に生じる、同様に、多数の導電キャップを備えるべき要求に比較的少数の導電キャップを備えた複数のアース金具を連設することで良好に応答しようとするものであり、このような場合に生じる前記問題点を解決することを課題とするものである。
【０００９】
【課題を解決するための手段】
本発明の１は、ハウジングの正面に直列に配した複数の絶縁円筒に複数のアース金具の各導電キャップを外装し、かつ該複数のアース金具間を電気的に接続してなるピンジャック板に於けるアース金具の接続構造であって、
アース金具の帯状基部の両末端に各々直角に折曲して構成した接合片を前記ハウジングに挿入固定し、該接合片の内、隣接するアース金具の相互に対向する二つの接合片間に、前記ハウジングに挿入固定する逆Ｕ字形の端子部材であって、その両側の垂下片に各々前記接合片に圧接する弾性接片を備えた端子部材を挿入したピンジャック板に於けるアース金具の接続構造である。
【００１０】
従って本発明の１のアース金具の接続構造によれば、比較的短い複数のアース金具をハウジングにセットするものであり、それぞれ導電キャップの数が少ないため、それら又はそれらが外装する絶縁円筒に若干のピッチズレがあっても、これがあまり累積せずに作業性良くそのセット作業を行うことができる。
【００１１】
これらの複数のアース金具は、相互の帯状基板の末端に構成した接合片間に端子部材を挿入し、これによって電気的に接続するものであり、極めて簡易な作業によってその接続を行うことができる。両側の接合片は、それぞれ端子部材の垂下片に構成した弾性接片がそれらに圧接することで、確実な接触を確保できるため、その電気的な接続を確実なものとすることができる。
【００１２】
またこれらの複数のアース金具は、以上のように、直列に接続するものであるため、アース端子は、最下段のアース金具の帯状基部下端の接合片からのみ延長させれば良い。そのためプリント基板に、一列のピンジャック列毎に一つの接続孔を構成させれば良いことになり、回路構成が簡明となる。またアース端子は、最下段のアース金具から延長するだけとなるので、その長さが短くなりメッキ作業時の変形の問題も生じなくなる。
【００１３】
更にこれらのアース金具は、複数のそれを直列に接続して使用する比較的短いものであるため、それらを全部接続した長さを持つアース金具と異なり、メッキ作業時の帯状基部の変形の問題や連設される導電キャップ間等の僅かなピッチズレの累積に起因する作業性の低下の問題等を回避することができる。
【００１４】
本発明の２は、本発明の１のピンジャック板に於けるアース金具の接続構造に於いて、前記ハウジングの正面に、アース金具の接合片を各々挿入係止すべく構成した接合片係止溝と、該接合片係止溝の内、隣接するアース金具の相互に対向する二つの接合片用の接合片係止溝の間に構成した二つの垂下片係止溝であって、各々該二つの接合片間に挿入する端子部材の両垂下片を挿入すべく構成し、かつ各々直近の接合片係止溝に連通すべく構成した垂下片係止溝とを備えたものである。
【００１５】
従って本発明の２のピンジャック板に於けるアース金具の接続構造によれば、アース金具及びその帯状基部間に挿入する端子部材をそれぞれハウジングにセットすれば、相互の電気的な接続が確実に保持されることになる。より具体的に述べると、アース金具の帯状基部の両端に構成された各接合片をハウジングの接合片係止溝に挿入し、前記端子部材はその両側の垂下片を垂下片係止溝に挿入すると、それぞれ確実に保持されることになり、かつ該垂下片係止溝に挿入された垂下片の弾性接片は、該垂下片係止溝が各々直近の接合片係止溝に連通すべく構成されているため、隣接する接合片係止溝中に進出し、その中に挿入されている接合片に弾力的に接触して確実な電気的な接続を実現することとなるものである。
【００１６】
本発明の３は、請求項２のピンジャック板に於けるアース金具の接続構造に於いて、前記接合片の両側肩部直下に抜け止め突起を形成し、他方、前記接合片係止溝の両側上部に、これに挿入した接合片の抜け止め突起が係止する係止段部を形成し、更に前記端子部材の両垂下片の両側肩部直下に抜け止め突起を形成し、他方、前記接合片係止溝の両側上部に、これに挿入した端子部材の両垂下片の抜け止め突起が係止する係止段部を形成したものである。
【００１７】
従って本発明の３のピンジャック板に於けるアース金具の接続構造によれば、帯状基部の両端の接合片及び端子部材の両垂下片は、それぞれ対応する接合片係止溝又は垂下片係止溝に挿入すると、それぞれ前者の両側肩部直下に形成した抜け止め突起が後者の両側上部に形成した係止段部に係止して、確実な挿入状態が保持されることとなる。そのため、以上のセット作業のみで、本発明の２で説明したのと同様に、アース金具及び端子部材のハウジングへのセットが完了し、かつ端子部材を介して全アース金具間の電気的な接続が確保できることになる。
【００１８】
本発明の４は、本発明の１、２又は３のピンジャック板に於けるアース金具の接続構造に於いて、前記弾性接片を、垂下片の中央部を下端を除いて短冊状に切り抜き、かつその途中を該垂下片から突出するように側面から見て「く」の字状に折曲して構成したものである。
【００１９】
従って本発明の４のピンジャック板に於けるアース金具の接続構造によれば、アース金具及び端子部材をハウジングにセットすると、後者の垂下片に於ける弾性接片の「く」の字状突出部分が前者の帯状基部の接合片に圧接状態となって、両者の電気的な接続が確実なものとなり、これを介して、セットされている全アース金具間の電気的な接続が良好に確保できることとなる。
【００２０】
【発明の実施の形態】
本発明の実施の形態を一実施例に基づき図面を参照しつつ詳細に説明する。
【００２１】
この実施例は、本発明のピンジャック板に於けるアース金具の接続構造を適用したピンジャック板に関し、これは、図１（ａ）、（ｂ）、図３（ａ）、（ｂ）及び図７（ａ）、（ｂ）に示すように、３連のアース金具１と、２連のアース金具２と、その間に挿入する端子部材３と、図示しない接片と一体に形成されている信号端子４、４…と、これらをセットするハウジング５とで構成したものである。
【００２２】
前記３連のアース金具１は、図１（ａ）、（ｂ）及び図５（ａ）、（ｂ）に示すように、帯状基部１ａと、これに定間隔で一列に立ち上げた３個の導電キャップ１ｂ、１ｂ、１ｂと、帯状基部１ａの両端に下方に直角に折曲して構成した接合片１ｃ、１ｃと、帯状基部１ａの外端側の接合片１ｃの下端から外方に延長したアース端子１ｄとで構成したものである。
【００２３】
前記帯状基部１ａは、文字通り、帯状の構成要素であり、これから立ち上がる導電キャップ１ｂ、１ｂの間の部位には上方に膨らむ二条のリブを構成して補強してある。前記各接合片１ｃは、その両側肩部直下に抜け止め突起１ｃ１、１ｃ１が形成してあり、後述する接合片係止溝５ｂに挿入すると、これらがその係止段部５ｂ１に係止して挿入状態が固定されるようになっている。また帯状基部１ａの外端側の接合片１ｃの下端から延長したアース端子１ｄにもその中央部に切り起こした抜け止め返り片１ｄ１が形成してあり、図示しないプリント基板の接続孔に挿入した場合に、これがその孔に係止して抜け止めとなるようになっている。
【００２４】
前記２連のアース金具２は、図１（ａ）、（ｂ）及び図６（ａ）、（ｂ）に示すように、帯状基部２ａと、これに定間隔で一列に立ち上げた２個の導電キャップ２ｂ、２ｂと、帯状基部２ａの両端に下方に直角に折曲して構成した接合片２ｃ、２ｃとで構成したものである。この２連のアース金具２の各構成要素は、導電キャップ２ｂの数が一個少ないこと、帯状基部２ａが短いこと及びアース端子を有していないことを除いては、３連のアース金具１の各対応する構成要素と全て同一である。接合片２ｃには、従って同様に、両側肩部の直下に抜け止め突起２ｃ１、２ｃ１が形成してある。
【００２５】
前記端子部材３は、図１（ａ）、（ｂ）及び図４（ａ）、（ｂ）、（ｃ）、（ｄ）に示すように、側面から見て逆Ｕ字形を基本形状とする弾力性を持った金属部材であり、上部連結板３ａと、その両側から垂下する垂下片３ｂ、３ｂとからなるものである。各垂下片３ｂは、その中央部を下端を除いて縦方向に短冊状に切り抜き、これを外側に突出する「く」の字状に折曲して弾性接片３ｂ１に構成し、更に該垂下片３ｂの両側肩部直下に外側方に膨らむ抜け止め突起３ｂ２、３ｂ２を形成したものである。
【００２６】
前記ハウジング５は、絶縁性合成樹脂で成形したブロック部材であり、図７（ａ）、（ｂ）に示すように、その正面には、定間隔で立ち上げた各々５個の絶縁円筒６、６…からなる二列の絶縁円筒列と、各絶縁円筒列に沿って形成された、アース金具１、２の帯状基部１ａ、２ａをその中に嵌め込むための嵌合凹部５ａと、各絶縁円筒列の最下部（図７（ａ）中最下方）の絶縁円筒６の直下、下から３番目の絶縁円筒６の直上、下から４番目の絶縁円筒６の直下及び最上部の絶縁円筒６の直上に各々形成した接合片係止溝５ｂ、５ｂ…と、下から３番目の絶縁円筒６の直上の接合片係止溝５ｂに連通状態にその直上に、及び下から４番目の絶縁円筒６の直下の接合片係止溝５ｂに連通状態にその直下にそれぞれ形成した垂下片係止溝５ｃ、５ｃとを備え、下端には図示しないプリント基板との結合用の結合脚５ｄ、５ｄ、５ｄを備え、更に背面には信号端子４、４…を支持する支持部材が備えられている。
【００２７】
前記各絶縁円筒６は、図２（ａ）及び図７（ａ）、（ｂ）に示すように、その先端に補助環６ｂを配するための段差部６ａが形成してあり、その内部には前記信号端子４から直角方向に延長された接片を固定する固定溝が形成してある。
【００２８】
前記嵌合凹部５ａは、前記アース金具１、２をその導電キャップ１ｂ又は２ｂを絶縁円筒６、６…に外装しながらハウジング５の正面に配した場合に、その帯状基部１ａ、２ａがその中に嵌め込まれるように構成した部位であり、ほぼ該帯状基部１ａ、２ａの厚み程度の深さに構成してある。該嵌合凹部５ａは、先に述べたように、その両端及び途中に形成された接合係止溝５ｂ、５ｂ…との関係から、下方側が３連のアース金具１の帯状基部１ａの嵌合用で、上方側が２連のアース金具２の帯状基部２ａの嵌合用となっている。
【００２９】
前記接合片係止溝５ｂ、５ｂ…の両側上部には、図２（ｂ）、（ｄ）に示すように、それぞれに挿入した接合片１ｃ、２ｃの抜け止め突起１ｃ１、１ｃ１、２ｃ１、２ｃ１が係止する係止段部５ｂ１、５ｂ１を形成し、前記垂下片係止溝５ｃ、５ｃの両側上部には、図２（ｃ）に示すように、それぞれに挿入した垂下片３ｂ、３ｂの抜け止め突起３ｂ２、３ｂ２が係止する係止段部５ｃ１、５ｃ１を形成してあるものである。
【００３０】
また前記接合片係止溝５ｂ、５ｂ…の内、最下部のそれは、図２（ａ）、（ｄ）及び図７（ａ）に示すように、これに係止する接合片１ｃの下端からアース端子１ｄが突出する都合上、下方に向かってこれが必要なだけ開放した構成となっている。
【００３１】
従ってこの実施例のピンジャック板によれば、３連のアース金具１及び２連のアース金具２をハウジング５にセットするものであり、前者で３個の導電キャップ１ｂ、１ｂ、１ｂ、後者で２個の導電キャップ２ｂ、２ｂと数が少ないため、それらに若干のピッチズレがあっても、これがあまり累積せずに作業性良くそのセット作業を行うことができるし、両アース金具１、２の電気的な接続は、両帯状基部１ａ、２ａの対向する接合片１ｃ、２ｃ間に挿入した端子部材３によって簡単かつ確実に行うことができる。また両アース金具１、２は、３連又は２連で特に長いものではないので、特にその帯状基部１ａ、２ａがメッキ作業時に変形を生じる等のおそれの低いものでもある。
【００３２】
このピンジャック板は、図２（ａ）に示すように、ハウジング５の正面に二列に配した絶縁円筒６、６…の各段差部６ａに補助環６ｂを配した上で、アース金具１、２及び端子部材３を配し、図３（ｂ）に示すように、背面側から前記信号端子４、４…を配して構成する。
【００３３】
アース金具１は、図２（ａ）及び図３（ａ）に示すように、その導電キャップ１ｂ、１ｂ、１ｂをそれぞれ補助環６ｂを配した下方の３個の絶縁円筒６、６、６に外装し、その帯状基部１ａを嵌合凹部５ａに嵌め込む。このとき該帯状基部１ａの上端の接合片１ｃは、下から３番目の絶縁円筒６の直上に位置する接合片係止溝５ｂに挿入し、下端の接合片１ｃは最下部の絶縁円筒６の直下に位置する接合片係止溝５ｂに挿入する。
【００３４】
それぞれの接合片係止溝５ｂ中では、各接合片１ｃは、これらを最後まで押し込むと、図２（ｄ）に示すように、その両側の抜け止め突起１ｃ１、１ｃ１が該接合片係止溝５ｂの係止段部５ｂ１、５ｂ１に係止して抜け止め状態となり、アース金具１のハウジング５への確実な取り付け状態が確保される。更に最下部の接合片係止溝５ｂは、前記し、かつ図２（ａ）に示すように、アース端子１ｄの幅を越える幅に下向きに開放されており、上記の状態で、該アース端子１ｄが下方に突出した状態になっている。
【００３５】
アース金具２は、図２（ａ）及び図３（ａ）に示すように、その導電キャップ２ｂ、２ｂをそれぞれ補助環６ｂを配した上方の２個の絶縁円筒６、６に外装し、その帯状基部２ａを嵌合凹部５ａに嵌め込む。このとき該帯状基部２ａの上端の接合片２ｃは、最上部の絶縁円筒６の直上に位置する接合片係止溝５ｂに挿入し、下端の接合片２ｃは下から４番目の絶縁円筒６の直下に位置する接合片係止溝５ｂに挿入する。
【００３６】
アース金具１のそれと同様に、それぞれの接合片係止溝５ｂ中では、各接合片２ｃは、これらを最後まで押し込むと、図２（ｂ）に示すように、その両側の抜け止め突起２ｃ１、２ｃ１が該接合片係止溝５ｂの係止段部５ｂ１、５ｂ１に係止して抜け止め状態となり、アース金具２のハウジング５への取り付け状態が確保される。
【００３７】
前記端子部材３は、図２（ａ）、（ｃ）及び図３（ａ）に示すように、その二つの垂下片３ｂ、３ｂを各々垂下片係止溝５ｃ、５ｃに挿入する。該端子部材３は、各垂下片３ｂを最後まで押し込むと、図２（ｃ）に示すように、それらの両側の抜け止め突起３ｂ２、３ｂ２が該垂下片係止溝５ｃの係止段部５ｃ１、５ｃ１に係止して抜け止め状態となり、該端子部材３のハウジング５への取り付け状態が確保される。
【００３８】
この状態で、該端子部材３の両垂下片３ｂ、３ｂから弾力的に突出する弾性接片３ｂ１は、図２（ａ）に示すように、上方のそれは、対向する上方のアース金具２の帯状基部２ａ下端の接合片２ｃに圧接し、下方のそれは、対向する下方のアース金具１の帯状基部１ａ上端の接合片１ｃに圧接し、それぞれ確実な電気的接続を確保する。
【００３９】
従ってハウジング５に対するアース金具１、２及び端子部材３の取り付け状態は、それらのみを取り出してみれば、図１（ａ）、（ｂ）に示す状態であり、この状態が、ハウジング５に取り付けたことで固定状態になっている訳である。
【００４０】
前記信号端子４、４…は、図３（ｂ）に示すように、それ自体をハウジング５の背後の支持部材で支持させ、かつ各先端に直角に配した接片を各対応する絶縁円筒６内の固定溝に挿入固定する。
【００４１】
なお、前記補助環６ｂは、アース金具１、２に先だって絶縁円筒６の段差部６ａにセットしておく必要があるが、それを除いて、以上のアース金具１、２、端子部材３及び信号端子４、４…のハウジング５への取り付け順序は自由である。
【００４２】
従って、この実施例のピンジャック板では、本発明のピンジャック板に於けるアース金具の接続構造を適用したため、３連及び２連のアース金具１、２をその間に配した端子部材３を介して容易かつ確実に接続することが可能となり、最初に述べた効果を得ることができ、またこのように接続したため、下部のアース金具１のみから短いアース端子１ｄを引き出し、これのみを図示しないプリント基板に接続することが可能となるものである。それ故、多数のアース端子接続用の孔をプリント基板に構成する問題を回避し得、更には、これによって無用に長いアース端子を構成する必要もなくなり、メッキ作業時の変形の虞等を回避することもできる。
【００４３】
【発明の効果】
本発明の１のアース金具の接続構造によれば、対象のアース金具が比較的短く導電キャップ数が少ないため、ピッチズレの累積が少なく、ハウジングに対するその取り付けを作業性良く行うことができる。複数のアース金具相互は、相互の帯状基板末端の接合片間に端子部材を挿入すると云う極めて簡単な作業によって電気的に確実に接続できるものである。またアース端子は、最下段のアース金具の帯状基部下端の接合片からのみ延長させれば良い。そのためプリント基板に一列のピンジャック列毎に一つの接続孔を構成させれば良いことになり、回路構成が簡明となる。更にアース端子は、最下段のアース金具から延長するものであるためその長さが短くなりメッキ作業時の変形の問題も生じなくなる。
【００４４】
更にこれらのアース金具の各々は比較的短いものであるため、それらを全部接続した長さを持つアース金具と異なり、メッキ作業時の帯状基部の変形の問題や連設される導電キャップ間等の僅かなピッチズレの累積に起因する作業性の低下の問題等を回避することができる。
【００４５】
本発明の２のピンジャック板に於けるアース金具の接続構造によれば、アース金具及びその帯状基部間に挿入する端子部材をそれぞれハウジングにセットすれば、相互の電気的な接続が確実に保持されることになる。より具体的には、アース金具の帯状基部の両端に構成された各接合片をハウジングの接合片係止溝に挿入し、前記端子部材はその両側の垂下片を垂下片係止溝に挿入すると、それぞれ確実に保持されることになり、かつ該垂下片係止溝に挿入された垂下片の弾性接片は、隣接する接合片係止溝中に進出し、その中に挿入されている接合片に弾力的に接触して確実な電気的な接続を実現することとなる。
【００４６】
本発明の３のピンジャック板に於けるアース金具の接続構造によれば、帯状基部の両端の接合片及び端子部材の両垂下片は、それぞれ対応する接合片係止溝又は垂下片係止溝に挿入すると、それぞれ前者の両側肩部直下に形成した抜け止め突起が後者の両側上部に形成した係止段部に係止して、確実な挿入状態が保持されることになる。そのため、以上のセット作業のみで、アース金具及び端子部材のハウジングへのセットが完了し、かつ端子部材を介して全アース金具間の電気的な接続が確保できることになる。
【００４７】
本発明の４のピンジャック板に於けるアース金具の接続構造によれば、アース金具及び端子部材をハウジングにセットすると、後者の垂下片に於ける弾性接片の「く」の字状突出部分が前者の帯状基部の接合片に圧接状態となって、両者の電気的な接続が確実なものとなり、これを介して、セットされている全アース金具間の電気的な接続が良好に確保できる。
【図面の簡単な説明】
【図１】（ａ）は一列に並べた２連及び３連のアース金具並びにその間に挿入した端子部材の正面図。
（ｂ）は一列に並べた２連及び３連のアース金具並びにその間に挿入した端子部材の右側面図。
【図２】（ａ）は２連及び３連のアース金具並びに端子部材をセットしたハウジングの縦断面図。
（ｂ）は（ａ）のＡ−Ａ線切断部の一部切欠断面図。
（ｃ）は（ａ）のＢ−Ｂ線切断部断面図。
（ｄ）は（ａ）のＣ−Ｃ線切断部の一部切欠断面図。
【図３】（ａ）は一実施例のピンジャック板の正面図。
（ｂ）は一実施例のピンジャック板の右側面図。
【図４】（ａ）は端子部材の正面図。
（ｂ）は端子部材の右側面図。
（ｃ）は端子部材の底面図。
（ｄ）は（ｃ）のＤ−Ｄ線切断部拡大断面図。
【図５】（ａ）は３連のアース金具の平面図。
（ｂ）は３連のアース金具の底面図。
【図６】（ａ）は２連のアース金具の平面図。
（ｂ）は２連のアース金具の底面図。
【図７】（ａ）はハウジングの正面図。
（ｂ）はハウジングの右側面図。
【符号の説明】
１    ３連のアース金具
１ａ  ３連のアース金具の帯状基部
１ｂ  ３連のアース金具の導電キャップ
１ｃ  ３連のアース金具の接合片
１ｃ１  ３連のアース金具の接合片の抜け止め突起
１ｄ  アース端子
１ｄ１  抜け止め返り片
２    ２連のアース金具
２ａ  ２連のアース金具の帯状基部
２ｂ  ２連のアース金具の導電キャップ
２ｃ  ２連のアース金具の接合片
２ｃ１  ２連のアース金具の接合片の抜け止め突起
３    端子部材
３ａ  上部連結板
３ｂ  垂下片
３ｂ１  弾性接片
３ｂ２  垂下片の抜け止め突起
４    信号端子
５    ハウジング
５ａ  嵌合凹部
５ｂ  接合片係止溝
５ｂ１  係止段部
５ｃ  垂下片係止溝
５ｃ１  係止段部
５ｄ  結合脚
６    絶縁円筒
６ａ  段差部
６ｂ  補助環
【図１】
2004281242.tif 000003
【図２】
2004281242.tif 000004
【図３】
2004281242.tif 000005
【図４】
2004281242.tif 000006
【図５】
2004281242.tif 000007
【図６】
2004281242.tif 000008
【図７】
2004281242.tif 000009